(57)【要約】【課題】  壁面や掲示板などに掲示物などを留めるために刺した、画鋲等を抜き取りながら回収できる、回収スペース付画鋲抜き取り器を提供する。【解決手段】  四角形筒状を成して、途中に浅い角度で折れ曲がる折れ曲げ部を設け、折れ曲げ部を境にして、相対的に長手の持ち手部と短手の抜き取り部を構成し、持ち手部の手前端に、磁石を内側中央に設置した回収部蓋を設け、抜き取り部の先端に抜き取り部蓋を設け、抜き取り部蓋の少し手前の折れ曲がった筒壁裏面に四角形状の抜き取り爪孔を、筒面に対し４５度回転させた形で形設し、且つ四角形の四辺の相互に向き合う二組の爪の先端は、内側から外側へ対抗側に向かって斜面状に先鋭化しており、このように形設された四角形筒の外周壁を、自由にスライドする形で抜き取り爪孔を塞ぐ為の数センチ長さの爪孔蓋を設けたことを特徴とする回収スペース付画鋲抜き取り器。【選択図】図２
2016037036.tif 000002
【特許請求の範囲】
【請求項１】
四角形筒状を成して、途中に浅い角度で折れ曲がる折り曲げ部を設け、連続的内部空間を有する回収スペース付画鋲抜き取り器において、折り曲げ部を境にして、相対的に長手の持ち手部とその先方に相対的に短手の抜き取り部が構成され、持ち手部の内側空間は抜き取られた画鋲の回収スペースを成し、持ち手部の手前端には回収部蓋を設け、この蓋の内側中央に回収スペースへ突き出る形で磁石を設置し、抜き取り部の先端には抜き取り部蓋を設け、この抜き取り部蓋の少し手前の折れ曲がった筒壁裏面に四角形状の抜き取り爪孔を設けるが、この抜き取り爪孔は筒先方向に対し４５度回転させた形で形設され、且つ抜き取り爪孔の四角形の四辺の相互に向き合う二組の爪の先端は、内側から外側へ対向側に向かって斜面状に先鋭化しており、このように形設された四角形筒の外周壁を自由にスライドする形で、抜き取り爪孔を塞ぐ為の数センチ長さの、爪孔蓋を設け、この爪孔蓋の表側面に中央部を切断するスリットを設け、折り曲げ部を拡縮自在に通過することが出来るようにする回収スペース付画鋲抜き取り器。
【発明の詳細な説明】
【技術分野】
【０００１】  本発明は壁や掲示板などに、掲示物を留めるために使用した、画鋲及びピン等を抜き取りながら回収できる、回収スペース付画鋲抜き取り器に関するものである。
【背景技術】
【０００２】  従来、壁や掲示板等に刺した画鋲は、指先や器具を使い一つずつ抜き取り、手に持つか用意したケースにおさめていた。
【発明の概要】
【発明が解決しようとする課題】
【０００３】  そのために、次のような問題点があった。
（イ）  画鋲を抜き取りながら、抜いた画鋲を片方の手で受け持ち、外した掲示物を落とさないように押さえなくてはならず大変である。
（ロ）  針が鋭く小さい画鋲は持ちにくく、抜いた拍子にうまくつかめず落としてしまうことがよくある。
（ハ）  画鋲を抜き、抜いた画鋲を別に用意したケースに収めなくてはならず能率が悪い。
本発明は以上の問題点を解決しようとするものである。
【課題を解決するための手段】
【０００４】  四角形筒状を成して、途中に浅い角度で折れ曲がる折り曲げ部を設け、連続的内部空間を有する回収スペース付画鋲抜き取り器において、折り曲げ部を境にして、相対的に長手の持ち手部とその先方に相対的に短手の抜き取り部が構成され、持ち手部の内側空間は抜き取られた画鋲の回収スペースを成し、持ち手部の手前端には回収部蓋を設け、この蓋の内側中央に回収スペースへ突き出る形で磁石を設置し、抜き取り部の先端には抜き取り部蓋を設け、この抜き取り部蓋の少し手前の折れ曲がった筒壁裏面に四角形状の抜き取り爪孔を設けるが、この抜き取り爪孔は筒先方向に対し４５度回転させた形で形設され、且つ抜き取り爪孔の四角形の四辺の相互に向き合う二組の爪の先端は、内側から外側へ対向側に向かって斜面状に先鋭化しており、このように形設された四角形筒の外周壁を自由にスライドする形で、抜き取り爪孔を塞ぐ為の数センチ長さの、爪孔蓋を設け、この爪孔蓋の表側面に中央部を切断するスリットを設け、折り曲げ部で拡縮して自在に通過することが出来るようにする。
なお、本体に透明部材を用いると、使用時に後ろから抜き取り爪孔と画鋲の頭が見えてより使い勝手がよく、回収した画鋲も見えてより便利になる。
以上の構成よりなる回収スペース付画鋲抜き取り器である。
【発明の効果】
【０００５】  本発明は、掲示物を留めている画鋲等を、片手で抜き取りながら回収できるので、空いている手で掲示物を押さえながら連続的に作業を行え、抜いた画鋲を落としてしまう心配もない。また、どのような形状の画鋲等やピンでも対応できる。
【図面の簡単な説明】
【０００６】
【図１】  本発明の筒壁表側面から見た外観斜視図
【図２】  本発明を裏返して、抜き取り部筒壁裏面に設けられた抜き取り爪孔を見せ、更に回収部蓋の内側に設置された磁石が見えるように一部分を切り欠いて見せた斜視図
【図３】  本発明の一部である抜き取り爪孔の特徴を示す斜視図
【図４】  本発明を用いて縦壁面の画鋲を抜き取る状態を示すイメージ図
【図５】  本発明において爪孔蓋を抜き取り爪孔に被せた状態を示す斜視図
【発明を実施するための形態】
【０００７】  以下、本発明の実施の形態を説明する。
四角形筒状を成して、途中に浅い角度で折れ曲がる折り曲げ部（１）を設け、連続的内部空間を有する回収スペース付画鋲抜き取り器において、折り曲げ部（１）を境にして、相対的に長手の持ち手部（２）とその先方に相対的に短手の抜き取り部（３）が構成され、持ち手部（２）の内側空間は抜き取られた画鋲（１２）の回収スペース（５）を成し、持ち手部（２）の手前端には回収部蓋（６）を設け、この蓋（６）の内側中央に回収スペース（５）へ突き出る形で磁石（７）を設置し、抜き取り部（３）の先端には抜き取り部蓋（４）を設け、この抜き取り部蓋（４）の少し手前の折れ曲がった筒壁裏面に四角形状の抜き取り爪孔（８）を設けるが、この抜き取り爪孔（８）は筒先方向に対し４５度回転させた形で形設され、且つ抜き取り爪孔（８）の四角形の四辺の相互に向き合う二組の爪（１０）の先端は、内側から外側へ対向側に向かって斜面状に先鋭化しており、このように形設された四角形筒の外周壁を自由にスライドする形で、抜き取り爪孔（８）を塞ぐ為の数センチ長さの、爪孔蓋（９）を設け、この爪孔蓋（９）の表側面に中央部を切断するスリット（１５）を設け、折り曲げ部（１）で拡縮して自在に通過することが出来るようにする。
本発明は以上のような構成であり、以下、その具体的な使用法を説明する。
▲１▼図２で示すように、抜き取り爪孔（８）を塞いでいた爪孔蓋（９）を抜き取り部（３）から持ち手部（２）へスライドして、抜き取り爪孔（８）を開口する。
▲２▼次に、図４で示すように、縦壁面（１４）に刺さった画鋲（１２）の頭に抜き取り爪孔（８）を当て嵌め、上下左右どちらかに引く。
すると図３で示すように、抜き取り爪孔（８）の四辺に設けた爪（１０）と爪（１０）の境目を成す角隅部（１１）が画鋲（１２）の頭の下にくい込み、画鋲（１２）は抜ける。
▲３▼抜けた画鋲（１２）は持ち手部（２）の回収スペース（５）に落ちて磁石（７）に付く。
▲４▼作業が終わったら、図５で示すように、爪孔蓋（９）を可動し抜き取り爪孔（８）を塞ぐ。
なお、画鋲（１２）を取り出す時は回収部蓋（６）を外して取り出すが、抜き取り部蓋（４）を外して取り出すことも出来る。
【符号の説明】
【０００８】  １  折り曲げ部、      ２  持ち手部、      ３  抜き取り部、
４  抜き取り部蓋、    ５  回収スペース、  ６  回収部蓋、
７  磁石、      ８  抜き取り爪孔      ９  爪孔蓋、    １０  爪
１１  角隅部、      １２  画鋲、      １３  手、      １４  縦壁面
１５  爪孔蓋のスリット
【図１】
2016037036.tif 000003
【図２】
2016037036.tif 000004
【図３】
2016037036.tif 000005
【図４】
2016037036.tif 000006
【図５】
2016037036.tif 000007